(57)【要約】【課題】幼児や子供による誤った開封をより確実に防止可能な薬液供給器具を提供すること。【解決手段】薬液供給器具（１）であって、収容部（１１）と口部（１６）とを有する容器（１０）と、内装キャップ（３０）と、外装キャップ（６０）と、を備え、内装キャップ（３０）及び外装キャップ（６０）は、ラチェット機構（５０，８０）を有し、ラチェット機構は、外装キャップが内装キャップに向けて押し込まれた状態で外装キャップが口部に対して回転操作されたときに外装キャップ（６０）及び内装キャップ（３０）を一体的に回転させ、かつ、外装キャップが内装キャップに向けて押し込まれていない状態で外装キャップが口部に対して回転操作されたときに外装キャップ（６０）を内装キャップ（３０）に対して相対回転させ、口部（１６）の軸方向は、収容部（１１）の軸方向に対して所定角度（θ）傾斜していること。【選択図】図４
2018158751.tif 000002
【特許請求の範囲】
【請求項１】
薬液供給器具であって、
筒状に形成されており薬液を収容可能な収容部と、前記収容部に接続されており円筒状に形成されているとともに雄ねじ部を有する口部と、を有する容器と、
前記口部の前記雄ねじ部に螺合可能な雌ねじ部を有するとともに前記口部の開口を閉塞可能な形状を有する内装キャップと、
前記内装キャップの外側に設けられた外装キャップと、を備え、
前記内装キャップ及び前記外装キャップは、ラチェット機構を有し、
前記ラチェット機構は、前記外装キャップが前記内装キャップに向けて押し込まれた状態で当該外装キャップが前記口部に対して回転操作されたときに前記外装キャップ及び前記内装キャップを一体的に回転させ、かつ、前記外装キャップが前記内装キャップに向けて押し込まれていない状態で当該外装キャップが前記口部に対して回転操作されたときに前記外装キャップを前記内装キャップに対して相対回転させ、
前記口部の軸方向は、前記収容部の軸方向に対して所定角度傾斜している、薬液供給器具。
【請求項２】
請求項１に記載の薬液供給器具において、
前記収容部は、当該収容部の軸方向と直交する第１方向の寸法の方が前記軸方向及び前記第１方向の双方に直交する第２方向の寸法よりも大きな形状を有する胴部を有し、
前記口部は、前記第１方向のいずれか一方を向くように開口している、薬液供給器具。
【請求項３】
請求項１又は２に記載の薬液供給器具において、
前記容器は、前記収容部と前記口部との間に設けられた首部を有し、
前記外装キャップの外径は、前記首部の外径よりも大きい、薬液供給器具。
【請求項４】
請求項１ないし３のいずれかに記載の薬液供給器具において、
前記内装キャップは、
前記雌ねじ部を有するとともに前記口部の開口を塞ぐ形状を有する内装キャップ本体と、
前記内装キャップ本体の外面に設けられた係止部と、を有し、
前記内装キャップ本体は、前記係止部を配置するための内配置面を有し、
前記係止部は、前記内装キャップ本体の軸方向に沿って前記内配置面から前記外装キャップ側に向かって突出する形状を有し、
前記外装キャップは、
前記内装キャップ本体を覆う形状を有する外装キャップ本体と、
前記外装キャップ本体の内面に設けられており、前記係止部に係合する形状を有するとともに、前記係止部とともに前記ラチェット機構を構成する被係止部と、を有し、
前記外装キャップ本体は、前記被係止部を配置するための外配置面を有し、
前記被係止部は、前記外装キャップ本体の軸方向に沿って前記外配置面から前記内装キャップに向かって突出する形状を有し、
前記係止部は、
前記外装キャップ本体が前記内装キャップ本体に向かって押し込まれた押し込み状態で当該外装キャップ本体が開く方向に回転操作されたときに前記被係止部により押圧される開時被押圧面と、
前記押し込み状態で前記外装キャップ本体が閉まる方向に回転操作されたときに前記被係止部により押圧される閉時被押圧面と、を有し、
前記被係止部は、
前記押し込み状態で前記外装キャップ本体が開く方向に回転操作されたときに前記開時被押圧面を押圧する開時押圧面と、
前記押し込み状態で前記外装キャップ本体が閉まる方向に回転操作されたときに前記閉時被押圧面を押圧する閉時押圧面と、を有する、薬液供給器具。
【請求項５】
請求項４に記載の薬液供給器具において、
前記内配置面は、前記内装キャップ本体の軸方向に直交する形状を有し、
前記開時被押圧面と前記内配置面とのなす角は、前記所定角度の１．５７倍以上１０倍以下であり、
前記外配置面は、前記外装キャップ本体の軸方向に直交する形状を有し、
前記開時押圧面と前記外配置面とのなす角は、前記所定角度の１．５７倍以上１０倍以下である、薬液供給器具。
【請求項６】
請求項５に記載の薬液供給器具において、
前記閉時被押圧面と前記内配置面とのなす角は、前記所定角度の０．８６倍以上７．３３倍以下であり、
前記閉時押圧面と前記外配置面とのなす角は、前記所定角度の０．８６倍以上７．３３倍以下である、薬液供給器具。
【請求項７】
請求項４ないし６のいずれかに記載の薬液供給器具において、
前記内装キャップ本体は、
前記雌ねじ部を有する内装周壁と、
前記内装周壁の上端部に接続された内装上壁と、
前記内装上壁の内面から前記口部に向かって突出するとともに前記内装周壁の中心軸回りに円環状に形成され、前記口部又は前記口部に取り付けられる中栓に当接することによって前記容器内を密閉可能なコンタクトリングと、を有し、
前記コンタクトリングは、前記内装周壁の径方向について前記係止部から離間した位置に設けられている、薬液供給器具。
【請求項８】
請求項７に記載の薬液供給器具において、
前記内配置面は、前記内装周壁の外面のうち前記内装周壁の径方向について前記コンタクトリングよりも外側の部位に形成されている、薬液供給器具。
【請求項９】
請求項７又は８に記載の薬液供給器具において、
前記係止部は、前記内装周壁の軸方向について前記雌ねじ部から離間した位置に設けられている、薬液供給器具。
【発明の詳細な説明】
【技術分野】
【０００１】
本発明は、皮膚等の被供給部に薬液を供給するための薬液供給器具に関する。
【背景技術】
【０００２】
従来、被供給部に薬液を供給するための薬液供給器具や、薬液を収容する薬液収容器具として、幼児や子供等による誤った開封を防止するいわゆるチャイルドレジスタント機構（チャイルドプルーフ機構）を備えたものが知られている。例えば、特許文献１には、筒状に形成されており薬液を収容する容器と、容器の口部に接続可能な内装キャップと、内装キャップに被せられた外装キャップと、を備える薬液収容器具が開示されている。内装キャップ及び外装キャップは、チャイルドレジスタント機構として、ラチェット機構を有している。具体的に、内装キャップの外周面には、複数のラチェット歯部が周方向に沿って等間隔に設けられており、外装キャップの内周面には、各ラチェット歯部に係合可能な複数のラチェット爪部が周方向に沿って等間隔に設けられている。各ラチェット爪部は、外装キャップが内装キャップに向けて押し込まれることにより各ラチェット歯部に係合する。
【０００３】
この薬液収容器具では、外装キャップが内装キャップに向けて押し込まれた状態（各ラチェット爪部が各ラチェット歯部に係合した状態）で外装キャップが容器の口部に対して回転されることにより、外装キャップ及び内装キャップが一体的に容器の口部に対して相対回転する。一方、外装キャップが内装キャップに向けて押し込まれていない状態（各ラチェット爪部が各ラチェット歯部に係合していない状態）で外装キャップが容器の口部に対して相対回転された場合、外装キャップは内装キャップに対して相対回転する。つまり、この薬液収容器具では、外装キャップが内装キャップに向けて押し込まれた状態で当該外装キャップを容器の口部に対して回転させる操作がなされた場合のみ、容器から外装キャップ及び内装キャップが取り外される（開封される）。
【先行技術文献】
【特許文献】
【０００４】
【特許文献１】特開２００７−７６６７６号公報
【発明の概要】
【発明が解決しようとする課題】
【０００５】
特許文献１に記載されるような薬液収容器具では、幼児や子供等であっても、開封できてしまう場合がある。このことは、薬液を供給するための薬液供給器具においても同様に生じ得る。
【０００６】
本発明の目的は、幼児や子供による誤った開封をより確実に防止可能な薬液供給器具を提供することである。
【課題を解決するための手段】
【０００７】
前記課題を解決するために鋭意検討した結果、本発明者らは、容器の軸方向と口部（キャップ）の軸方向とが一致している場合、外装キャップを容器に向けて押し込む力が比較的作用しやすいことを知見した。例えば、テーブルに載置された薬液供給器具に対し、手で外装キャップをテーブルに向けて押し付けた状態（ラチェット機構が係合した状態）で外装キャップが開く方向の外力が当該外装キャップに作用すると、容器が開封される。これは片手で行われ得る操作であり、このことが幼児や子供による誤った開封の一因であることを見出した。そこで、本発明者らは、外装キャップの押し込み方向を容器の軸方向に対して傾斜させることにより、幼児や子供による誤った開封をより確実に防止可能（意図しないラチェット機構の係合を回避可能）となることに想到した。
【０００８】
本発明は、このような観点からなされたものである。具体的に、本発明は、薬液供給器具であって、筒状に形成されており薬液を収容可能な収容部と、前記収容部に接続されており円筒状に形成されているとともに雄ねじ部を有する口部と、を有する容器と、前記口部の前記雄ねじ部に螺合可能な雌ねじ部を有するとともに前記口部の開口を閉塞可能な形状を有する内装キャップと、前記内装キャップの外側に設けられた外装キャップと、を備え、前記内装キャップ及び前記外装キャップは、ラチェット機構を有し、前記ラチェット機構は、前記外装キャップが前記内装キャップに向けて押し込まれた状態で当該外装キャップが前記口部に対して回転操作されたときに前記外装キャップ及び前記内装キャップを一体的に回転させ、かつ、前記外装キャップが前記内装キャップに向けて押し込まれていない状態で当該外装キャップが前記口部に対して回転操作されたときに前記外装キャップを前記内装キャップに対して相対回転させ、前記口部の軸方向は、前記収容部の軸方向に対して所定角度傾斜している、薬液供給器具を提供する。
【０００９】
本薬液供給器具では、口部の中心軸が収容部の軸方向に対して所定角度傾斜しているので、一方の手で外装キャップを内装キャップないし口部に向けて押し込むには、その押し込み力に抗する外力が収容部に加えられる必要がある。このため、内装キャップ及び外装キャップを口部から取り外すには、一方の手で収容部を把持し、他方の手で外装キャップを内装キャップないし口部に向けて押し込んだ状態（ラチェット機構が係合した状態）で外装キャップを口部に対して開く方向に回転させる操作を行う必要がある。よって、幼児や子供による誤った開封が抑制される。
【００１０】
また、前記収容部は、当該収容部の軸方向と直交する第１方向の寸法の方が前記軸方向及び前記第１方向の双方に直交する第２方向の寸法よりも大きな形状を有する胴部を有し、前記口部は、前記第１方向のいずれか一方を向くように開口していることが好ましい。
【００１１】
このようにすれば、一方の手で胴部を把持した状態で他方の手で外装キャップを内装キャップ（口部）に向けて押し込む力を作用させやすくなる。このため、大人による意図した外装キャップ及び内装キャップの取外しが容易になる。
【００１２】
この場合において、前記容器は、前記収容部と前記口部との間に設けられた首部を有し、前記外装キャップの外径は、前記首部の外径よりも大きいことが好ましい。
【００１３】
このようにすれば、外装キャップを把持する指が首部に干渉することが抑制されるので、外装キャップの開閉操作が容易になる。
【００１４】
また、前記薬液供給器具において、前記内装キャップは、前記雌ねじ部を有するとともに前記口部の開口を塞ぐ形状を有する内装キャップ本体と、前記内装キャップ本体の外面に設けられた係止部と、を有し、前記内装キャップ本体は、前記係止部を配置するための内配置面を有し、前記係止部は、前記内装キャップ本体の軸方向に沿って前記内配置面から前記外装キャップ側に向かって突出する形状を有し、前記外装キャップは、前記内装キャップ本体を覆う形状を有する外装キャップ本体と、前記外装キャップ本体の内面に設けられており、前記係止部に係合する形状を有するとともに、前記係止部とともに前記ラチェット機構を構成する被係止部と、を有し、前記外装キャップ本体は、前記被係止部を配置するための外配置面を有し、前記被係止部は、前記外装キャップ本体の軸方向に沿って前記外配置面から前記内装キャップに向かって突出する形状を有し、前記係止部は、前記外装キャップ本体が前記内装キャップ本体に向かって押し込まれた押し込み状態で当該外装キャップ本体が開く方向に回転操作されたときに前記被係止部により押圧される開時被押圧面と、前記押し込み状態で前記外装キャップ本体が閉まる方向に回転操作されたときに前記被係止部により押圧される閉時被押圧面と、を有し、前記被係止部は、前記押し込み状態で前記外装キャップ本体が開く方向に回転操作されたときに前記開時被押圧面を押圧する開時押圧面と、前記押し込み状態で前記外装キャップ本体が閉まる方向に回転操作されたときに前記閉時被押圧面を押圧する閉時押圧面と、を有することが好ましい。
【００１５】
このようにすれば、押し込み状態で外装キャップ本体を回転操作したときのみ外装キャップ及び内装キャップが一体的に口部に対して相対回転する構造が得られる。
【００１６】
この場合において、前記内配置面は、前記内装キャップ本体の軸方向に直交する形状を有し、前記開時被押圧面と前記内配置面とのなす角は、前記所定角度の１．５７倍以上１０倍以下であり、前記外配置面は、前記外装キャップ本体の軸方向に直交する形状を有し、前記開時押圧面と前記外配置面とのなす角は、前記所定角度の１．５７倍以上１０倍以下であることが好ましい。
【００１７】
このようにすれば、意図的な外装キャップ及び内装キャップの取外しが一層容易になる。具体的に、口部の軸方向が収容部の軸方向に対して所定角度傾斜していることによって、外装キャップ本体を内装キャップ本体に向かって押し込む力を作用させにくくなるものの、開時被押圧面と内配置面とのなす角が１．５７倍以上１０倍以下であり、開時押圧面と外配置面とのなす角が１．５７倍以上１０倍以下であることにより、押し込み状態で外装キャップ本体を回転操作した際に開時押圧面から開時被押圧面に作用する力が確保される。
【００１８】
さらにこの場合において、前記閉時被押圧面と前記内配置面とのなす角は、前記所定角度の０．８６倍以上７．３３倍以下であり、前記閉時押圧面と前記外配置面とのなす角は、前記所定角度の０．８６倍以上７．３３倍以下であることが好ましい。
【００１９】
このようにすれば、外装キャップ及び内装キャップを口部に対して確実に閉めることができる。また、閉時押圧面が摩耗した場合においても、閉めやすさが維持される。
【００２０】
また、前記薬液供給器具において、前記内装キャップ本体は、前記雌ねじ部を有する内装周壁と、前記内装周壁の上端部に接続された内装上壁と、前記内装上壁の内面から前記口部に向かって突出するとともに前記内装周壁の中心軸回りに円環状に形成され、前記口部又は前記口部に取り付けられる中栓に当接することによって前記容器内を密閉可能なコンタクトリングと、を有し、前記コンタクトリングは、前記内装周壁の径方向について前記係止部から離間した位置に設けられていることが好ましい。
【００２１】
このようにすれば、係止部に起因するコンタクトリングへのヒケの発生が抑制される。よって、容器の密閉性が確保される。
【００２２】
具体的に、前記内配置面は、前記内装周壁の外面のうち前記内装周壁の径方向について前記コンタクトリングよりも外側の部位に形成されていることが好ましい。
【００２３】
このようにすれば、係止部が内装キャップ本体のうち内装周壁の径方向についてコンタクトリングよりも内側の部位の外面に設けられる場合に比べ、外装キャップ本体から内装キャップ本体に作用するトルクが大きくなるので、外装キャップ及び内装キャップの開閉が容易になる。
【００２４】
また、前記薬液供給器具において、前記係止部は、前記内装周壁の軸方向について前記雌ねじ部から離間した位置に設けられていることが好ましい。
【００２５】
このようにすれば、係止部に起因する雌ねじ部へのヒケの発生が抑制される。
【発明の効果】
【００２６】
以上のように、本発明によれば、幼児や子供による誤った開封をより確実に防止可能な薬液供給器具を提供することができる。
【図面の簡単な説明】
【００２７】
【図１】本発明の一実施形態の薬液供給器具の正面図である。
【図２】図１に示される薬液供給器具の平面図である。
【図３】図１に示される薬液供給器具の底面図である。
【図４】図１に示される薬液供給器具の断面図である。
【図５】図４に示される口部、内装キャップ及び外装キャップの拡大図である。
【図６】内装キャップの正面図である。
【図７】図６のＶＩＩ−ＶＩＩ線での断面図である。
【図８】図６の係止部の拡大図である。
【図９】外装キャップの正面図である。
【図１０】図９のＸ−Ｘ線での断面図である。
【図１１】図１０の被係止部の拡大図である。
【図１２】被係止部の開時押圧面が係止部の開時被押圧面を押圧している状態を示す図である。
【発明を実施するための形態】
【００２８】
本発明の一実施形態の薬液供給器具１について、図１〜図１２を参照しながら説明する。本薬液供給器具１は、皮膚等の被供給部に薬液を供給するためのものであって、幼児や子供等による誤った開封を防止するいわゆるチャイルドレジスタント機構（チャイルドプルーフ機構）を備えたものである。なお、薬液供給器具１の使用時の姿勢は限定されないが、以下では、便宜上、図１に基づいて上下方向を定義する。
【００２９】
図１、図４、図５等に示されるように、薬液供給器具１は、容器１０と、中栓２０と、内装キャップ３０と、外装キャップ６０と、を備えている。内装キャップ３０及び外装キャップ６０は、前記チャイルドレジスタント機能として、ラチェット機構を有する。ラチェット機構は、外装キャップ６０が内装キャップ３０に向けて押し込まれた状態で外装キャップ６０が回転操作されたときに外装キャップ６０及び内装キャップ３０を一体的に回転させ、かつ、外装キャップ６０が内装キャップ３０に向けて押し込まれていない状態で外装キャップ６０が回転操作されたときに外装キャップ６０を内装キャップ３０に対して相対回転させる（空回りさせる）構造を有する。このラチェット機構の詳細については、後述する。
【００３０】
容器１０は、収容部１１と、首部１５と、口部１６と、を有する。
【００３１】
収容部１１は、薬液を収容可能である。具体的に、収容部１１は、底壁１２と、胴部１３と、縮径部１４と、を有する。
【００３２】
胴部１３は、底壁１２の縁部から起立しており、筒状に形成されている。図１及び図３に示されるように、胴部１３の軸方向と直交する第１方向（図３の上下方向）における胴部１３の寸法は、胴部１３の軸方向及び第１方向の双方に直交する第２方向（図３の左右方向）における胴部１３の寸法よりも大きい。
【００３３】
縮径部１４は、胴部１３の上端部に接続されている。縮径部１４は、胴部１３から離間する（上方に向かう）にしたがって次第に縮径する形状を有する。
【００３４】
首部１５は、縮径部１４の上端部に接続されている。
【００３５】
口部１６は、首部１５の上端部に接続されており、円筒状に形成されている。口部１６には、雄ねじ部１７が形成されている。図１及び図４に示されるように、口部１６の中心軸は、収容部１１の中心軸に対して所定角度θ傾斜している。本実施形態では、所定角度θは、６０度に設定されている。幼児や子供による誤った開封が抑制されるという観点から、当該所定角度θは、１５〜７５度に設定されることが好ましい。図２に示されるように、口部１６の軸方向を容器１０の平面視からの投影面に投影したときに形成される直線は、前記第１方向と平行である。
【００３６】
中栓２０は、口部１６に取り付けられている。中栓２０は、口部１６に圧入される中栓本体２１と、中栓本体２１に被せられておりウレタン製のスポンジからなるスポンジ部２３と、中栓本体２１とともにスポンジ部２３を挟持する挟持部２４と、を有する。中栓本体２１は、スポンジ部２３を内装キャップ３０に向けて（図４の右上方向に）付勢するとともに中栓本体２１に形成された薬液流出口２１ａを塞ぐ形状を有する付勢部２２を有する。挟持部２４は、中栓本体２１とともにスポンジ部２３の縁部を挟み込む。この薬液供給器具１の使用時（内装キャップ３０及び外装キャップ６０が取り外された状態）は、スポンジ部２３が被供給部に接する状態で付勢部２２の付勢力に抗してスポンジ部２３及び付勢部２２が押圧される。そうすると、薬液流出口２１ａから薬液が流出し、当該薬液がスポンジ部２３に含浸しつつ被供給部に供給される。
【００３７】
次に、図５〜図８を参照しながら、内装キャップ３０について説明する。内装キャップ３０は、口部１６に対して着脱自在に接続可能で、かつ、口部１６に接続された状態で容器１０内を密閉する。内装キャップ３０は、合成樹脂により形成されている。内装キャップ３０は、内装キャップ本体３２と、内装キャップ本体３２の外面に形成されており、前記ラチェット機構の一部を構成する複数の係止部５０と、を有する。
【００３８】
内装キャップ本体３２は、雄ねじ部１７に螺合可能な雌ねじ部３７を有するとともに、口部１６の開口を閉塞可能な形状を有する。具体的に、内装キャップ本体３２は、雌ねじ部３７を有する内装周壁３４と、内装上壁４２と、コンタクトリング４４と、を有する。
【００３９】
内装周壁３４は、円筒状に形成された大外径部３６と、大外径部３６の外径よりも小さな外径を有する小外径部３８と、を有する。雌ねじ部３７は、大外径部３６の内周面に形成されている。
【００４０】
小外径部３８は、大外径部３６の上端部に接続されている。図６及び図８に示されるように、内装周壁３４の外面のうち大外径部３６と小外径部３８との境界には、内配置面４０が形成されている。内配置面４０は、内装周壁３４の軸方向と直交する形状を有する。なお、図７に示されるように、小外径部３８の内面にも、微小ねじ溝３９が形成されてもよい。この微小ねじ溝３９は、口部１６の雄ねじ部１７と螺合するものではない。本実施形態では、雌ねじ部３７の大外径部３６の内面からの突出寸法は、０．９５ｍｍであるのに対し、微小ねじ溝３９の小外径部３８の内面からの突出寸法は、０．１ｍｍ程度である。
【００４１】
内装上壁４２は、内装周壁３４の上端に接続されている。内装上壁４２は、円板状に形成されている。内装上壁４２は、内装周壁３４の軸方向について外向き（図６の上向き）に膨出する形状を有している。
【００４２】
コンタクトリング４４は、内装上壁４２の下面（内面）から内向き（図５及び図７の右向き）に突出するとともに、内装上壁４２の中心軸回りに円環状に形成されている。図５に示されるように、コンタクトリング４４は、雌ねじ部３７が雄ねじ部１７に螺合した状態で中栓２０の挟持部２４の上面に接触することにより、容器１０内を密閉する。
【００４３】
各係止部５０は、内配置面４０に形成されている。各係止部５０は、内配置面４０から外装キャップ６０に向かって（図６おける上向きに）突出する形状を有する。複数の係止部５０は、内装周壁３４の周方向に沿って等間隔に配置されている。
【００４４】
図５及び図７に示されるように、各係止部５０は、内装周壁３４の径方向について、コンタクトリング４４から離間した位置に設けられている。また、各係止部５０は、内装周壁３４の軸方向について、雌ねじ部３７から離間した位置に設けられている。具体的に、各係止部５０は、内装周壁３４の軸方向についてコンタクトリング４４と雌ねじ部３７との間でかつ内装周壁３４の径方向についてコンタクトリング４４よりも外側に形成された内配置面４０に設けられている。
【００４５】
図８に示されるように、各係止部５０は、開時被押圧面５１と、閉時被押圧面５２と、を有する。この点については、後述する。
【００４６】
続いて、図５、図９〜図１１を参照しながら、外装キャップ６０について説明する。外装キャップ６０は、内装キャップ３０の外側に取り付けられている。外装キャップ６０は、内装キャップ３０に対して当該内装キャップ３０の軸方向に変位可能である。外装キャップ６０は、合成樹脂により形成されている。外装キャップ６０は、外装キャップ本体６２と、外装キャップ本体６２の内面に形成されており、各係止部５０とともに前記ラチェット機構を構成する複数の被係止部８０と、を有する。
【００４７】
外装キャップ本体６２は、内装キャップ本体３２を覆う形状を有する。外装キャップ本体６２は、外装周壁６４と、外装上壁７２と、を有する。
【００４８】
外装周壁６４は、円筒状に形成された大内径部６６と、大内径部６６の内径よりも小さな内径を有する小内径部６８と、を有する。図９等に示されるように、外装周壁６４の外周面には、ローレット６５が形成されている。図１に示されるように、外装周壁６４の外径は、首部１５の外径よりも大きい。
【００４９】
小内径部６８は、大内径部６６の上端部に接続されている。図１０に示されるように、外装周壁６４の内面のうち大内径部６６と小内径部６８との境界には、外配置面７０が形成されている。外配置面７０は、外装周壁６４の軸方向と直交する形状を有する。
【００５０】
外装上壁７２は、外装周壁６４の上端部に接続されている。外装上壁７２は、円板状に形成されている。外装上壁７２は、外装周壁６４の軸方向について外向き（図９の上向き）に膨出する形状を有している。外装上壁７２の上面には、表示部７３が形成されている。この表示部７３は、外装上壁７２の上面から上向きに突出する形状を有する。
【００５１】
各被係止部８０は、各係止部５０に係合可能な形状を有する。各被係止部８０は、外配置面７０に形成されている。各被係止部８０は、外配置面７０から内装キャップ３０に向かって（図１０における右向きに）突出する形状を有する。複数の被係止部８０は、外装周壁６４の周方向に沿って等間隔に配置されている。被係止部８０の数は、係止部５０の数と同じである。
【００５２】
各被係止部８０は、開時押圧面８１と、閉時押圧面８２と、を有する。これら各押圧面８１，８２について、内装キャップ３０の開時被押圧面５１及び閉時被押圧面５２とともに説明する。
【００５３】
開時被押圧面５１は、外装キャップ本体６２が内装キャップ本体３２に向かって押し込まれた押し込み状態で外装キャップ本体６２が開く方向（左回り）に回転操作されたときに被係止部８０の開時押圧面８１により押圧される部位である。閉時被押圧面５２は、前記押し込み状態で外装キャップ本体６２が閉まる方向（右回り）に回転操作されたときに被係止部８０の閉時押圧面８２により押圧される部位である。なお、外装キャップ本体６２が内装キャップ本体３２に向かって押し込まれていない状態で外装キャップ本体６２が回転操作されたとしても、各押圧面８１，８２は、各被押圧面５１，５２を押圧しない。
【００５４】
図８に示されるように、開時被押圧面５１と内配置面４０とのなす角である第１角θ１は、通常９０度〜１５０度、好ましくは１１０度〜１５０度でかつ前記所定角度θの１．５７倍以上１０倍以下、より好ましくは１．５７倍以上３．７５倍以下、さらに好ましくは１．５７倍以上３．５倍以下に設定される。本実施形態では、前記第１角θ１は、前記所定角度θの２倍、すなわち、１２０度に設定されている。また、閉時被押圧面５２と内配置面４０とのなす角である第２角θ２は、好ましくは６０度〜１１０度でかつ前記所定角度θの０．８６倍以上７．３３倍以下、より好ましくは０．８６倍以上２．７５倍以下、さらに好ましくは１倍以上２．２５倍以下に設定される。本実施形態では、前記第２角θ２は、前記所定角度θの１．５倍、すなわち、９０度に設定されている。
【００５５】
図１１に示されるように、開時押圧面８１と外配置面７０とのなす角である第３角θ３は、通常９０度〜１５０度、好ましくは１１０度〜１５０度でかつ前記所定角度θの１．５７倍以上１０倍以下、より好ましくは１．５７倍以上３．７５倍以下、さらに好ましくは１．５７倍以上３．５倍以下に設定される。本実施形態では、前記第３角θ３は、前記所定角度θの２倍、すなわち、１２０度に設定されている。また、閉時押圧面８２と外配置面７０とのなす角である第４角θ４は、好ましくは通常６０度〜１１０度でかつ前記所定角度θの０．８６倍以上７．３３倍以下、より好ましくは０．８６倍以上２．７５倍以下、さらに好ましくは０．９３倍以上２．２５倍以下に設定される。本実施形態では、前記第４角θ４は、前記所定角度θの１．３倍、すなわち、７５度に設定されている。
【００５６】
次に、外装キャップ６０及び内装キャップ３０を取外すときの操作について説明する。
【００５７】
まず、一方の手で胴部１３ないし縮径部１４を把持し、もう一方の手で外装キャップ６０を把持する。そして、外装キャップ６０を内装キャップ３０（口部１６）に向けて押し込む。これにより、ラチェット機構が係合する。具体的に、図１２に示されるように、各被係止部８０の下端部が内配置面４０に当接する。本実施形態では、口部１６の軸方向が収容部１１の軸方向に対して所定角度θ傾斜しているので、ラチェット機構が係合するように外装キャップ６０を押し込む操作は、外装キャップ６０及び内装キャップ３０の取外し方を知らない幼児や子供等には困難である。
【００５８】
そして、外装キャップ６０が内装キャップ３０に向けて押し込まれた押し込み状態で（ラチェット機構が係合した状態で）外装キャップ６０を口部１６に対して左回りに回転させる。そうすると、各被係止部８０の開時押圧面８１が各係止部５０の開時被押圧面５１を押圧するので、外装キャップ６０及び内装キャップ３０が一体的に口部１６に対して左回りに相対回転する。よって、各キャップ３０，６０が容器１０から取り外される。
【００５９】
一方、外装キャップ６０が内装キャップ３０に向けて押し込まれていない状態で（ラチェット機構が係合していない状態で）外装キャップ６０を左回りに回転させたとしても、開時押圧面８１が開時被押圧面５１を押圧しない、あるいは、開時押圧面８１から開時被押圧面５１に十分に力が伝達しないので、外装キャップ６０が内装キャップ３０に対して相対回転（空回り）する。このため、各キャップ６０，３０は容器１０から取り外されない。
【００６０】
以上に説明したように、本実施形態では、口部１６の中心軸が収容部１１の軸方向に対して所定角度θ傾斜しているので、一方の手で外装キャップ６０を内装キャップ３０ないし口部１６に向けて押し込むには、その押し込み力に抗する外力が収容部１１に加えられる必要がある。このため、内装キャップ３０及び外装キャップ６０を口部１６から取り外すには、一方の手で収容部１１を把持し、他方の手で外装キャップ６０を内装キャップ３０ないし口部１６に向けて押し込んだ状態（ラチェット機構が係合した状態）で外装キャップ６０を口部１６に対して開く方向に回転させる操作を行う必要がある。よって、幼児や子供による誤った開封が抑制される。
【００６１】
また、口部１６は、胴部１３の軸方向に対して直交する断面における胴部１３の長手方向（前記第１方向）の一方側を向くように開口しているので、一方の手で胴部１３を把持した状態で他方の手で外装キャップ６０を内装キャップ３０に向けて押し込む力を作用させやすくなる。このため、容器１０からの外装キャップ６０及び内装キャップ３０の取外し方を知っている大人による意図した外装キャップ６０及び内装キャップ３０の取外しが容易になる。
【００６２】
さらに、外装キャップ６０の外径が首部１５の外径よりも大きいので、外装キャップ６０を把持する指が首部１５に干渉することが抑制される。よって、外装キャップ６０の開閉操作が容易になる。
【００６３】
さらに、前記第１角θ１が９０度〜１５０度でかつ前記所定角度θの１．５７倍以上１０倍以下であり、前記第３角θ３が９０度〜１５０度でかつ前記所定角度θの１．５７倍以上１０倍以下であるので、意図的な外装キャップ６０及び内装キャップ３０の取外しが一層容易になる。具体的に、口部１６の軸方向が収容部１１の軸方向に対して所定角度θ傾斜していることによって、外装キャップ本体６２を内装キャップ本体３２に向けて押し込む力を作用させにくくなるものの、前記第１角θ１が９０度〜１５０度でかつ１．５７以上１０倍以下であり、前記第３角θ３が９０度〜１５０度でかつ１．５７倍以上１０倍以下であることにより、押し込み状態で外装キャップ本体６２を回転操作した際に開時押圧面８１から開時被押圧面５１に作用する力が確保される。
【００６４】
加えて、前記第２角θ２が６０度〜１１０度でかつ前記所定角度θの０．８６倍以上７．３３倍以下であり、前記第４角θ４が６０度〜１１０度でかつ前記所定角度θの０．８６倍以上７．３３倍以下であるので、外装キャップ６０及び内装キャップ３０を口部１６に対して確実に閉めることができる。また、閉時押圧面８２が摩耗した場合においても、閉めやすさが維持される。
【００６５】
また、コンタクトリング４４は、内装周壁３４の径方向について各係止部５０から離間した位置に設けられているので、換言すれば、コンタクトリング４４と各係止部５０とが内装周壁３４の軸方向に重ならない位置に設けられているので、内装キャップ３０を合成樹脂で成形した際に、係止部５０に起因してコンタクトリング４４にヒケが生じることが抑制される。よって、容器１０の密閉性が確保される。
【００６６】
さらに、各係止部５０は、内装周壁３４の軸方向について雌ねじ部３７から離間した位置に設けられているので、換言すれば、各係止部５０と雌ねじ部３７とが内装周壁３４の径方向に重ならない位置に設けられているので、内装キャップ３０が合成樹脂で成形される際に、係止部５０に起因して雌ねじ部３７にヒケが発生することが抑制される。
【００６７】
また、内配置面４０は、内装周壁３４の外面のうち内装周壁３４の径方向についてコンタクトリング４４よりも外側の部位に形成されている。このため、係止部５０が内装キャップ本体３２のうち内装周壁３４の径方向についてコンタクトリング４４よりも内側の部位の外面に設けられる場合に比べ、外装キャップ本体６２から内装キャップ本体３２に作用するトルクが大きくなるので、外装キャップ６０及び内装キャップ３０の開閉が容易になる。
【００６８】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
例えば、外装キャップ６０に対して外力が作用していない状態で当該外装キャップ６０を内装キャップ３０から離間させるように付勢する付勢手段が設けられてもよい。このようにすれば、幼児や子供による誤った開封（意図しないラチェット機構の係合）がより確実に抑制される。
【符号の説明】
【００７０】
１    薬液供給器具
１０    容器
１１    収容部
１３    胴部
１５    首部
１６    口部
１７    雄ねじ部
２０    中栓
３０    内装キャップ
３２    内装キャップ本体
３４    内装周壁
３６    大外径部
３７    雌ねじ部
３８    小外径部
４０    内配置面
４２    内装上壁
４４    コンタクトリング
５０    係止部（ラチェット機構）
５１    開時被押圧面
５２    閉時被押圧面
６０    外装キャップ
６２    外装キャップ本体
６４    外装周壁
６６    大内径部
６８    小内径部
７０    外配置面
７２    外装上壁
８０    被係止部（ラチェット機構）
８１    開時押圧面
８２    閉時押圧面
【図１】
2018158751.tif 000003
【図２】
2018158751.tif 000004
【図３】
2018158751.tif 000005
【図４】
2018158751.tif 000006
【図５】
2018158751.tif 000007
【図６】
2018158751.tif 000008
【図７】
2018158751.tif 000009
【図８】
2018158751.tif 000010
【図９】
2018158751.tif 000011
【図１０】
2018158751.tif 000012
【図１１】
2018158751.tif 000013
【図１２】
2018158751.tif 000014